(57)【要約】      （修正有）【課題】正三角形、正方形を含む正多角形をはじめ、長方形、台形、菱形、円、同心円、円グラフ等を簡便・容易に描けるマルチスケール製図補助具を提供する。【解決手段】直線や円で構成される図形を描く際に、製図紙上に載置して用いる円板１からなる製図補助具であって、該円板１が、その中心から外周に向けて所定角度間隔で描かれた多角形を描く際に必要な複数種のスケール２〜４が刻まれる複数のスケール線表示部と、外周に沿って角度目盛りが刻まれる角度目盛り表示部６と円グラフ作成時に使用する百分率目盛りが刻まれる百分率目盛り表示部７とを備えてなる。【選択図】図１
0003222911.tif 000002
【実用新案登録請求の範囲】
【請求項１】
直線や円で構成される図形を描く際に、製図紙上に載置して用いる円板（１）からなる製図補助具であって、
該円板（１）が、その中心に小孔を有し、前記中心から外周に向けて所定角度間隔で描かれた多角形を描く際に必要な複数種のスケールが刻まれる複数のスケール線表示部と、外周に沿って角度目盛りが刻まれる角度目盛り表示部（６）と円グラフ作成時に使用する百分率目盛りが刻まれる百分率目盛り表示部（７）とを備えてなることを特徴とするマルチスケール製図補助具。
【請求項２】
前記複数のスケール線表示部に刻まれるスケールが、cｍスケール線（２）、√２スケール線（３）及び√３スケール線（４）であることを特徴とする請求項1に記載のマルチスケール製図補助具。
【請求項３】
前記複数のスケール線表示部に刻まれるcｍスケール線（２）、√２スケール線（３）及び√３スケール線（４）が、
前記cｍスケール線（２）は、円板（１）内に水平方向に描かれ、円板（１）の中心点から外周に向かって１〜５ｍｍ単位で表示されてなり、
前記√２スケール線（３）は、円板（１）の中心から左右４５度の角度で２本描かれ、いずれも中心点から外周に向けて √２の倍数の単位で表示されてなり、
前記√３スケール線（４）は、円板（１）内に上方の垂直方向に描かれ、円板（１）の中心点から外周に向けて√３の倍数の単位で表示されてなり、
前記各スケール線（２、３、４）とも単位表示に沿って、円板（１）にスリット（２ａ、３ａ、４ａ）が穿設され、製図紙上にその位置を記録可能にされてなり、
また、円板（１）の中心点から下方の垂直方向には、円板（１）の中心点を含め中心点から１〜１０ｍｍ離れるごとに小孔（５ａ）が穿設され、中心点周りに円を描くコンパスの役割を持たせたコンパススケール（５）が備えられてなることを特徴とする請求項１又は２に記載のマルチスケール製図補助具。
【請求項４】
前記外周に沿って角度目盛りが刻まれる角度目盛り表示部には、垂直方向に表示されるスケール線の上端を０°とし下端を１８０°として右側半周に角度目盛りが表示され、又円グラフ作成時に使用する百分率目盛りが刻まれる百分率目盛り表示部には、垂直方向に表示されるスケール線の下端を０％とし上端を５０％として左側半周に表示されてなることを特徴とする請求項１に記載のマルチスケール製図補助具。
【考案の詳細な説明】
【技術分野】
【０００１】
直線や円、円弧等で構成される図形を描く際に製図紙上に載置して用いる製図補助具に関する。
【背景技術】
【０００２】
直線や円、円弧等を描くツールとして、直線定規、三角定規、コンパス、分度器が従来から広く用いられてきている。これらツールは、例えば、直線を描く場合には直線定規、円を描く場合にはコンパスというように、それぞれ目的とする図形を簡単に描くことができ、子供から大人まで使いやすい構造となっている。
しかし、平行線や多角形（特に正多角形）、円グラフ等を描く場合には、それに特化したツールがなく、上記ツールを複数同時に又は複数回取り換えて使用する必要がある。さらに、複数のツールを使用する場合には、各ツールの位置や方向を変えて、組み合わせるようにして描かなければならず手間がかかり、慣れていない場合には線や中心がずれてしまったりして、決して描きやすいものではない。
【０００３】
このような問題に対し、様々な定規が提案されている。
例えば、特許文献１には、「（１）基板とこの基板内に回転自在に装着された円板とからなり、該円板にはその回転中心から所定距離毎に筆記用具を挿入する為の多数の貫通孔が設けられており、該円板を回転させて前記貫通孔を移動させることにより所望の図形を作図するようにした製図定規。（２）円板の貫通孔の形状と相対応させて基板に分度目盛りを設けた実用新案登録請求の範囲第１項に記載の製図定規。」が開示されている。
上記製図定規によれば、中心のずれがない同心円や同心弧、及び大小６種の正五角形、正六角形、正八角形が一つの定規で描くことができる。
【先行技術文献】
【特許文献】
【０００４】
【特許文献１】実開昭６０−１２３２８８号公報
【考案の概要】
【考案が解決しようとする課題】
【０００５】
しかし、上記のような製図定規においては、所定の図形以外に他の正多角形を描く為には、その正多角形の各辺の中心角に対応する貫通孔を別途設けなければならず、このままでは正三角形や正方形は描けない。また、長方形や、台形、菱形や、円グラフなどの作図もできない。
本考案は、このような問題を解決するものであり、正三角形、正方形を含む正多角形をはじめ、長方形、台形、菱形、円、同心円、円グラフ等を簡便・容易に描ける製図補助具を提供する。
【課題を解決するための手段】
【０００６】
本考案者は、上記課題を下記の手段によって解決した。なお、この項目では、本考案の理解を容易にするため、各構成要件に対応する実施例における符号を付記する。
〈１〉直線や円で構成される図形を描く際に、製図紙上に載置して用いる円板（１）からなる製図補助具であって、
該円板（１）が、その中心に小孔を有し、前記中心から外周に向けて所定角度間隔で描かれた多角形を描く際に必要な複数種のスケールが刻まれる複数のスケール線表示部と、外周に沿って角度目盛りが刻まれる角度目盛り表示部（６）と円グラフ作成時に使用する百分率目盛りが刻まれる百分率目盛り表示部（７）とを備えてなることを特徴とするマルチスケール製図補助具。
〈２〉前記複数のスケール線表示部に刻まれるスケールが、cｍスケール線（２）、√２スケール線（３）及び√３スケール線（４）であることを特徴とする前記〈１〉に記載のマルチスケール製図補助具。
〈３〉前記複数本のスケール線表示部に刻まれるcｍスケール線（２）、√２スケール線（３）及び√３スケール線（４）が、
前記cｍスケール線（２）は、円板（１）内に水平方向に描かれ、円板（１）の中心点から外周に向かって１〜５ｍｍ単位で表示されてなり、
前記√２スケール線（３）は、円板（１）の中心から左右４５度の角度で２本描かれ、いずれも中心点から外周に向けて √２の倍数の単位で表示されてなり、
前記√３スケール線（４）は、円板（１）内に上方の垂直方向に描かれ、円板（１）の中心点から外周に向けて√３の倍数の単位で表示されてなり、
前記各スケール線（２、３、４）とも単位表示に沿って、円板（１）にスリット（２ａ、３ａ、４ａ）が穿設され、製図紙上にその位置を記録可能にされてなり、
また、円板（１）の中心点から下方の垂直方向には、円板（１）の中心点を含め中心点から１〜１０ｍｍ離れるごとに小孔（５ａ）が穿設され、中心点周りに円を描くコンパスの役割を持たせたコンパススケール（５）が備えられてなることを特徴とする前記〈１〉又は〈２〉に記載のマルチスケール製図補助具。
〈４〉前記外周に沿って角度目盛りが刻まれる角度目盛り表示部（６）には、垂直方向に描かれたスケール線の上端を０°とし下端を１８０°として右側半周に表示され、又円グラフ作成時に使用する百分率目盛り（７）が、垂直方向に描かれたスケール線の下端を０％とし上端を５０％として左側半周に表示されてなることを特徴とする前記〈１〉に記載のマルチスケール製図補助具。
【考案の効果】
【０００７】
本考案のマルチスケール製図補助具によれば、下記の効果が発揮される。
〈１〉直線や円で構成される図形を描く際に、製図紙上に載置して用いる円板からなる製図補助具であって、該円板が、その中心に小孔を有し、前記中心から外周に向けて所定角度間隔で描かれた多角形を描く際に必要な複数種のスケールが刻まれる複数のスケール線表示部と、外周に沿って角度目盛りが刻まれる角度目盛り表示部（６）と、円グラフ作成時に使用する百分率目盛りが刻まれる百分率目盛り表示部（７）とを備えてなるので、該製図補助具を使えば、正三角形、正方形を含む正多角形、長方形、台形、菱形、円、同心円、円グラフ等所望の図形を簡便・容易に描くことができる。
【０００８】
〈２〉また、本考案にかかるマルチスケール製図補助具は、前記複数のスケール線表示部に、cｍスケール線（２）、√２スケール線（３）及び√３スケール線（４）が刻まれ、前記cｍスケール線（２）は、円板（１）内に水平方向に描かれ、円板（１）の中心点から外周に向かって１〜５ｍｍ単位で表示されてなり、前記√２スケール線（３）は、円板（１）の中心から左右４５度の角度で２本描かれ、いずれも中心点から外周に向けて √２の倍数の単位で表示されてなり、前記√３スケール線（４）は、円板（１）内に上方の垂直方向に描かれ、円板（１）の中心点から外周に向けて√３の倍数の単位で表示されてなり、前記各スケール線（２、３、４）とも単位表示に沿って、円板（１）にスリット（２ａ、３ａ、４ａ）が穿設され、製図紙上にその位置を記録可能にされてなるので、該３種類のスケール線の選択と、該スケール線で特定した位置を前記スリットを介して製図紙上に記録すれば、製図補助具を取り除いた後、製図紙上に記録された複数の点間を直線定規を使って直線で結ぶことによって正三角形、正方形をはじめ、二等辺三角形、長方形、台形、菱形等多様な三角形、四辺形を容易に描ける。
【０００９】
〈３〉また、円板の中心点から下方の垂直方向には、円板の中心点を含め中心点から１〜１０ｍｍ離れるごとに小孔（５ａ）が穿設され、中心点周りに円を描くコンパスの役割を持たせたコンパススケール（５）が備えられてなるので、中心点に設けられた小孔にピン等を挿して製図紙上に回転可能に固定すれば、中心点から離間した小孔に鉛筆等を挿して製図補助具を回転させれば、中心位置がぶれずに任意の大きさの同心円が容易に描ける。
〈４〉そして、本考案にかかるマルチスケール製図補助具は、その円板外周の右側半周に沿って角度目盛りが刻まれる角度目盛り表示部に、垂直方向に描かれたスケール線の上端を０°とし下端を１８０°として角度目盛りが表示され、分度器の機能を備えているので、同心の円弧２本による扇形も容易に描け、また、三角形や四角形等各図形を所定角度傾けて描くことも可能となる。
さらには本製図補助具を円周を等分する角度、例えば７２°、６０°、４５°で回転させ、その都度０°の表示が示した位置を製図紙上に記録すれば、製図補助具を取り除いた後、製図紙上に記録された複数の点を直線定規を使って直線で結ぶことによって、正五角形、正六角形、正八角形をはじめとして多様な正多角形が容易に描ける。
【００１０】
〈５〉本考案にかかるマルチスケール製図補助具は、その外周に沿って百分率目盛りが刻まれる百分率目盛り表示部に、その左側半周に円グラフ作成時に使用する百分率目盛りが、垂直方向に描かれたスケール線の下端を０％とし上端を５０％として左側半周に表示されているので、従来百分率として得られたデータを角度に換算して、コンパス、分度器、直線定規を使って描いていた円グラフが、本考案の製図補助具一つで簡便・容易に描け、作図作業の効率化が図れる。
【図面の簡単な説明】
【００１１】
【図１】本考案のマルチスケール製図補助具の全体構成図
【図２】本考案のマルチスケール製図補助具を用いて正方形を描く手順の説明図
【図３】本考案のマルチスケール製図補助具を用いて正三角形を描く手順の説明図
【図４】本考案のマルチスケール製図補助具を用いて台形を描く手順の説明図
【図５】本考案のマルチスケール製図補助具を用いて菱形を描く手順の説明図
【図６】本考案のマルチスケール製図補助具を用いて円を描く手順の説明図
【図７】本考案のマルチスケール製図補助具を用いて正五角形を描く手順の説明図
【図８】本考案のマルチスケール製図補助具を用いて正六角形、正八角形を描く手順の説明図
【図９】本考案のマルチスケール製図補助具を用いて円グラフを描く手順の説明
【考案を実施するための形態】
【００１２】
本考案にかかるマルチスケール製図補助具を実施するための形態を、実施例の図に基づいて説明する。
図１は本考案のマルチスケール製図補助具の全体構成図であり、図中
１は円板、２はｃｍスケール線が表示されたスケール線表示部（以下、「ｃｍスケール線」ともいう）、３は√２スケール線が表示されたスケール線表示部（以下、「√２スケール線」ともいう）、４は√３スケール線が表示されたスケール線表示部（以下、「√３スケール線」ともいう）、２ａ、３ａ、４ａはスリット、５はコンパススケール、５ａは小孔、６は角度目盛りが表示された角度目盛り表示部（以下、「角度目盛り」ともいう）７は百分率目盛りが表示された百分率目盛り表示部（以下、「百分率目盛り」ともいう）、８は中心点、８ａは小孔、１０はマルチスケール製図補助具（「製図補助具」ともいう）である。
【００１３】
本考案にかかるマルチスケール製図補助具１０は、図１の全体構成図に示すように、中心に小孔を有する円板１の表面に直線と、円又は円弧とで表示される図形の製図に必要な多様なスケールがスケール線表示部（２、３、４）に表示され、外周に沿った角度目盛り表示部６には角度目盛りが表示されてなる。また、円グラフ等の作成時に使用する百分率目盛りが、外周に沿った百分率目盛り表示部７に表示されて構成されている。
さらに、コンパスの役割を持つコンパススケール５用の小孔５ａが複数穿設されてなる。
【００１４】
本考案にかかるマルチスケール製図補助具１０は、図１に示すように円板１の表面に複数のスケールや目盛りが表示されて構成されることから、透明の合成樹脂が好適に用いられるが、透明に限定されるものではなく、ステンレス、アルミ、木材など伸縮の少ない材質で構成してもよい。
【００１５】
図１に示す本考案にかかるマルチスケール製図補助具１０は、円板１の表面に、その中心から外周に向けて４５度間隔でスケール線表示部（２、３、４）を備え、各スケール線表示部（２、３、４）に、３種類のスケール線が刻まれている。
このうち水平方向に刻まれたスケール線は、それぞれ中心点８からの離間長さが１〜７ｃｍにわたって５ｍｍ単位で表示されたcｍスケール線２である。なお、図１に示す実施例では、ｃｍスケール線２を５ｍｍ単位で刻んでいるが、使用用途に合わせて、１〜５ｍｍ単位のうち任意の単位で刻んで構成することが好ましい。
また、円板１の中心から４５度の角度で刻まれたスケール線は、いずれも中心点８からの離間長さを √２の倍数の単位で表示された√２スケール線３である。
そして、垂直方向に描かれたスケール線の円板１の中心点８から上方は、中心点８からの離間長さを√３の倍数の単位で表示された√３スケール線４である。
これらいずれのスケール線（２、３、４）とも、そのスケール線の表示に沿って円板１にスリット２ａ、３ａ、４ａが穿設され、製図紙上にその位置を記録可能にされている。
なお、各スケール線（２、３、４）は、円板１上に、凹凸を付けて彫って刻んだり、印刷して表示してもよく、またシール状のものを貼着して表示してもよく、特に限定されるものではない。
【００１６】
また、垂直方向に描かれたスケール線の円板１の中心点８から下方には、中心点８を含め中心点８から５ｍｍ離れるごとに小孔５ａが穿設され、中心点周りに円を描くコンパスの役割を持たせたコンパススケール５となっている。前記小孔５ａは、本実施例では５ｍｍ離れて穿設されているが、使用用途に合わせて１〜１０ｍｍ間隔で穿設することが好ましい。
そして該円板１の外周に沿って、その右側半周の角度目盛り表示部６には、角度目盛りが、垂直方向に描かれたスケール線の上端を０°とし下端を１８０°として表示されて分度器の機能を備える。
さらに円板１の左側半周の百分率目盛り表示部７には、円グラフ作成時に使用する百分率目盛りが、垂直方向に描かれたスケール線の下端を０％とし上端を５０％として表示されている。
【００１７】
上記構成の実施例におけるマルチスケール製図補助具１０を使用しての基本的な図形の作図方法について、図２〜図７に基づいて説明する。
（ア）正方形の描き方
図２は、本考案のマルチスケール製図補助具を用いて正方形を描く手順の説明図である。
正方形は、図２に示すように√２スケール線３を使用して描く。図２（ａ）においては中心点８から伸びる４本の√２スケール線３の表示”３”の位置４個所を選択し、スリット３ａを介して製図紙上に点Ａ１、Ａ２、Ａ３、Ａ４を記録する。
その後、マルチスケール製図補助具１０を製図紙上から取り外し、図２（ｂ）に示すように製図紙上に記録された４つの点Ａ１、Ａ２、Ａ３、Ａ４を筆記具２０を用いて順次直線で結べば、図２（ｃ）に示す対角線が６×√２cｍで１辺の長さが６ｃｍの正方形が描ける。
【００１８】
（イ）正三角形、二等辺三角形の描き方
図３は、本考案のマルチスケール製図補助具を用いて正三角形を描く手順の説明図である。
正三角形は図３（ａ）に示すようにｃｍスケール線２と√３スケール４を使用して描く。
図３（ａ）においては、前記ｃｍスケール線２、√３スケール線４ともに、表示”３．５”の位置３個所を選択し、スリット２ａ、４ａを介して製図紙上に点Ｂ１、Ｂ２、Ｂ３を記録する。
その後、マルチスケール製図補助具１０を製図紙上から取り外し、図３（ｂ）に示すように製図紙上に記録された３個の点Ｂ１、Ｂ２、Ｂ３を筆記具２０を用いて順次直線で結べば、図３（ｃ）に示す高さが３．５×√３cｍで底辺の長さが７ｃｍのの正三角形が描ける。
また、ｃｍスケール線２と、√３スケール線４とで異なる値の表示位置、例えばｃｍスケール線２で”２”を、√３スケール線５で”３”を選択して製図紙上にＢ’１、Ｂ’２、Ｂ’３の３点を記録し、この３点を直線で結ぶと図３（ｄ）に示す高さが３×√３ｃｍ、底辺の長さ４ｃｍの二等辺三角形が描け、両スケール線の表示数値の選択次第で多様な二等辺三角形が描ける。
【００１９】
（ウ）台形、長方形を描き方
図４は本考案のマルチスケール製図補助具を用いて台形を描く手順の説明図である。
台形を描くには、図４（ａ）に示すようにマルチスケール製図補助具１０を９０°回転させてｃｍスケール線２が垂直になるようにして製図紙上に載置する。
そして、製図補助具１０の円板１の上半円部に刻された√２スケール線３とｃｍスケール線２の同一数表示位置（図４においては”３”）を選択して製図紙上に点Ｃ１、Ｃ２、Ｄを記録する。ｃｍスケール線２に記録したＤは、製図補助具１０をずらす目安として使用するものである。
上記、点Ｃ１、Ｃ２、Ｄを記録した後、ｃｍスケール線２で記録した点Ｄを、”３”の表示位置から、”４”の表示位置まで製図補助具１０自体を１ｃｍ下にずらす。
その状態で、円板１の下半円部に刻された√２スケール線３の上半円部で選択したのとは異なる数の表示位置（図４（ｂ）においては”４”）を選択して点Ｃ３、Ｃ４を記録し、先の点Ｃ１、Ｃ２と直線で結べば、上辺６ｃｍ、下辺８ｃｍ、高さ７ｃｍの台形が描ける。
なお、前記上半円部と、下半円部の√２スケール線３の数の表示位置を全て同一数字の位置を選択して点を記録すると長方形が描け、製図補助具１０を下にずらす長さによって台形及び長方形の高さを変えることができる。
【００２０】
（エ）菱形の描き方
図５は、本考案のマルチスケール製図補助具を用いて菱形を描く手順の説明図である。
菱形を描くには、図５（ａ）に示すように、まずマルチスケール製図補助具１０をｃｍスケール線２が水平となるよう製図紙上に載置し、円板１の中心点８から左右に同一長さ（図においては”３”）の位置に点Ｅ１、Ｅ３を記録する。
次いで、マルチスケール製図補助具１０の中心点８に穿設された小孔にピンを刺すなどして仮止めした後、円板１を９０°回転してｃｍスケール線２を垂直方向に向け、そのｃｍスケール線２に沿って２箇所に、先に設定した左右２箇所点Ｅ１、Ｅ３と中心点８間の長さとは異なる長さ分、離れた位置（図５（ｂ）においては”４”）に点Ｅ２、点Ｅ４を記録する。
その後、マルチスケール製図補助具１０を製図紙上から取り外し、図５（ｃ）に示すように製図紙上に記録された点Ｅ１、Ｅ２、Ｅ３、Ｅ４を筆記具２０を用いて順次直線で結べば図５（ｄ）に示す高さ８cｍ、幅６ｃｍの菱形が描ける。
【００２１】
（オ）円、同心円の描き方
図６は、本考案のマルチスケール製図補助具を用いて円を描く手順の説明図である。
円を描くには、円板１の中心点８に穿設された小孔８ａと、前記中心点８から５ｍｍ間隔で穿設された複数の小孔５ａで構成されるコンパススケール５を使用する。
まず、マルチスケール製図補助具１０を、その円板１の中心点８に穿設された小孔８ａにピン等を刺して製図紙上に回動可能に固定し、次いでコンパススケール５の複数の小孔５ａのいずれか（図６においては”４”の位置の小孔）に筆記具２０を挿入し、該筆記具２０によって円板１を中心点８の周りに回転させると筆記具２０の軌跡として図６（ｂ）示す半径４ｃｍの円が描かれる。
その後、筆記具２０を異なる位置（例えば”３”）の小孔５ａ’に移して、同様に円を描けば、中心点８がぶれることなく、図６（ｂ）に示す半径４ｃｍと３ｃｍの同心円が描ける。
【００２２】
（カ）正五角形の描き方
図７は、本考案のマルチスケール製図補助具を用いて正五角形を描く手順の説明図である。
正五角形を描くには、図７に示すように、コンパススケール５の小孔５ａと、外周に沿って刻された角度目盛り６とを使用する。なお、７２°の位置がわかりやすいように、図７に示すように正五角形用目印Ｓを刻んでおくと、より描きやすくなるので好適である。  まず、マルチスケール製図補助具１０の円板１の中心点８に穿設された小孔８ａにピン等を刺して製図紙上に回動可能に固定する。
その後、角度目盛り６の表示０°を真下にして印ｆ１を付け、コンパススケール５の任意の小孔５ａの位置Ｆ１（図においては”４”）を製図紙上に記録し、次いで図７（ｂ）に示すように円板１を反時計方向に回転し、角度目盛り６で７２°（正五角形目印Ｓ）が先に付けたｆ1の位置にきた時停止し、その時点における角度目盛り６の表示０°の位置に印ｆ２を付けるとともに、先に選択した小孔５ａの位置Ｆ２を製図紙上に記録する。
そしてその後、円板１をさらに反時計方向に回転させ、図７（ｃ）に示すように角度目盛り６の７２°（正五角形目印Ｓ）が、印ｆ２の位置にきた時停止し、その時点における角度目盛り６の表示０°の位置に印ｆ３を付けるとともに、小孔５ａの位置Ｆ３を記録する。
さらに、円板１を反時計方向に回転させ、図７（ｄ）に示すように角度目盛り６の７２°（正五角形目印Ｓ）が、印ｆ３の位置にきた時停止し、その時点における角度目盛り６の表示０°の位置に印ｆ４を付けるとともに、小孔５ａの位置Ｆ４を記録する。
そして、さらに円板１を反時計方向に回転させ、図７（ｅ）に示すように角度目盛り６の７２°（正五角形目印Ｓ）が印ｆ４の位置にきた時停止し、小孔５ａの位置Ｆ５を記録する。その後、Ｆ１〜Ｆ５を順に直線で結べば図７（ｆ）に示す正五角形が描ける。
上記方法は、角度目盛り６の７２°の位置に記した正五角形目印Ｓを利用して描く方法であるが、正五角形目印Ｓがなくとも、真下や真上の位置を基準として、角度目盛り６の目盛りで角度を確認しながら、７２°、１４４°、２１６°、２８８°と回転させて、Ｆ１〜Ｆ５を記録して描くこともできる。
【００２３】
（キ）正六角形、正八角形の描き方
図８は、本考案のマルチスケール製図補助具を用いて正六角形、正八角形を描く手順の説明図である。
正六角形、正八角形を描くにはｃｍスケール線２に刻された目盛りと、外周に沿って刻された角度目盛り６とを使用する。
まず、円板１の中心点８に穿設された小孔８ａにピン等を刺して製図紙上に回動可能に固定させる。その後、角度目盛り６の表示０°を真上にしてｃｍスケール線２に刻された目盛りから選択した数の左右２個所の位置（図においては”４”）Ｇ１、Ｇ４をスリット２ａを介して製図紙上に記録する（図８（ａ））。
次いで図８（ｂ）に示すように円板１を反時計方向に回転し、角度目盛り６０°が真上にきた時停止し、先に選択したcｍスケール線２の数の位置Ｇ２、Ｇ５を製図紙上に記録する。
そして、図８（ｃ）に示すように角度目盛り１２０°を真上にして小孔の位置Ｇ３、Ｇ６を記録する。
その後、製図紙上に記録されたＧＩ、Ｇ２、Ｇ３、Ｇ４、Ｇ５、Ｇ６の各点を順次直線で結べば図８（ｄ）に示す正六角形が描ける。
正八角形は、回転角度を４５°にして３回回転すれば、前記六角形を描くのと同じ手順によって描くことができる。
【００２４】
（ク）円グラフの描き方
図９は、本考案のマルチスケール製図補助具を用いて円グラフを描く手順の説明図である。
円グラフを描くにはコンパススケール５の小孔５ａと、円板１の外周に沿って刻された百分率目盛り７とを使用する。
以下に、「賛成」６０％、「反対」２５％、「不明」１５％の円グラフを描く場合を例に説明する。
図９（ａ）に示すように本考案のマルチスケール製図補助具１０を、その百分率目盛り７の０％の表示位置を真上にして製図紙上に載置し、中心点８小孔８ａにピン等を刺して回動可能に固定し、０°の表示位置に細線等によりＨ１を記録する。
次いでコンパススケール５の小孔５ａのいずれか（図では”５”）に筆記具２０を挿して円板１を時計回りに回転させ、先に記録した印Ｈ１に円板１の外周に刻された百分率目盛り７の（前記５０％位置から折り返して括弧付きで表示された）６０％表示位置が到達したとき回転を止める（図９（ｂ））。
そのときの百分率目盛り７の０％表示位置を製図紙上に細線等で印Ｈ２として記録した後、回転を再開し、前記印Ｈ１の位置に百分率目盛り７の２５％表示位置が到達したとき、回転を止め（図９（ｃ））、そのときの０°表示位置を示す印Ｈ３を製図紙上に記録する。
その後回転を再開し、０°表示位置が最初に記録した印Ｈ１の位置まで戻すことによって円グラフの外周円が描かれる。
そして、上記描かれた外周円の中心点と先に製図紙上に記録した印Ｈ１、Ｈ２、Ｈ３とを直線で結び、直線で分轄された扇形の部分にそれぞれが示す属性（賛成・反対・不明）とそのパーセンテージを記入すれば円グラフが完成する。
なお、円グラフの中心部に別途円を設ける場合には、中心点８の小孔８ａでの固定を取り外す前に、前記（オ）で示した同心円の描き方によって同心円を描いておく。前記製図紙上に記録した印Ｈ１、Ｈ２、Ｈ３と中心点とを直線で結ぶ際に、直線を内側の円と交わる点で止めれば、図９（ｄ）に示すような円グラフを描くことができる。
【産業上の利用可能性】
【００２５】
上記したように本考案にかかるマルチスケール製図補助具１０は、正三角形、正方形を含む正多角形をはじめ、長方形、台形、菱形、円、同心円、円グラフ等を簡便・容易に描くことができるよう、作図の補助を可能とするものであり、分度器も付いているので、任意の角度の図が描け、子供から大人まで使え、教育の現場や製図作成業務において作図作業を補助することができる。
また、本実施例では、直径１８ｃｍ程度の大きさのものを例に説明したが、その大きさは限定されるものではなく、机上以外で、例えば看板の作成の金属板などに作図する場合など、用途に合わせた大きさに構成することで、多様な使い方が可能である。
【符号の説明】
【００２６】
１：円板
２：ｃｍスケール線
３：√２スケール線
４：√３スケール線
２ａ、３ａ、４ａ：スリット
５：コンパススケール
５ａ：小孔
６：角度目盛り表示部（角度目盛り）
７：百分率目盛り表示部（百分率目盛り）
８：中心点
８ａ：（中心点の）小孔
１０：マルチスケール製図補助具
Ａ、Ｂ、Ｃ、Ｄ、Ｅ、Ｆ、Ｇ、Ｈ：製図紙上に記録された点又は印
【図１】
0003222911.tif 000003
【図２】
0003222911.tif 000004
【図３】
0003222911.tif 000005
【図４】
0003222911.tif 000006
【図５】
0003222911.tif 000007
【図６】
0003222911.tif 000008
【図７】
0003222911.tif 000009
【図８】
0003222911.tif 000010
【図９】
0003222911.tif 000011